(57)【要約】【課題】股下域における着用時の違和感を抑制するとともに、前側域における漏れを抑制しつつ着用者のそけい部に沿うようにフィットできる吸収性物品を提供する。【解決手段】吸収性物品（10）は、互いに直交する前後方向（L）及び幅方向(W)と、前後方向の中央を含む股下域(S3)、股下域よりも前側に位置する前側域(S1)及び股下域よりも後側に位置する後側域(S2)と、少なくとも股下域及び前側域に配置された吸収コア(50)と、を有する。吸収コアには、股下域(S3)において前後方向に延びる一対のサイドスリット(52)と、前側域において前側に向かって幅方向の外側に延びる変形誘導部(54)と、が設けられている。変形誘導部の幅は、サイドスリットの幅よりも短い。【選択図】図１
2019216956.tif 000002
【特許請求の範囲】
【請求項１】
互いに直交する前後方向及び幅方向と、
前記前後方向の中央を含む股下域、前記股下域よりも前側に位置する前側域及び前記股下域よりも後側に位置する後側域と、
少なくとも前記股下域及び前記前側域に配置された吸収コアと、を有する吸収性物品であって、
前記吸収コアには、前記股下域において前記前後方向に延びる一対のサイドスリットと、前記前側域において前記前側に向かって前記幅方向の外側に延びる変形誘導部と、が設けられており、
前記変形誘導部の幅は、前記サイドスリットの幅よりも短い、吸収性物品。
【請求項２】
前記変形誘導部は、前記吸収コアの吸収材料の坪量が周囲よりも低い低坪量領域、前記吸収コアを厚さ方向に圧縮した圧搾部、前記吸収コアに形成されたスリット、及び前記吸収コアの剛性差のうち少なくともいずれかによって構成される、請求項１に記載の吸収性物品。
【請求項３】
前記吸収性物品は、前記吸収コアの肌面側に位置する表面シートと、前記表面シートの肌面側に位置する起立性の防漏ギャザーと、を有し、
前記防漏ギャザーは、防漏弾性部材の収縮によって起立する収縮部と、前記収縮部の立ち上がりの基点となる基点部と、有し、
前記吸収コアは、前記サイドスリットによって挟まれた第１領域と、前記サイドスリットと前記吸収コアの外側縁の間に位置する第２領域と、を有し、
前記収縮部は、前記第２領域と厚さ方向において重なっている、請求項１又は請求項２に記載の吸収性物品。
【請求項４】
前記吸収コアには、前記幅方向において前記サイドスリットの間に位置し、かつ前記前後方向に延びる中央スリットが形成されている、請求項１から請求項３のいずれか１項に記載の吸収性物品。
【請求項５】
前記サイドスリットは、前記後側に向かって前記サイドスリットの前記幅方向の長さが短くなる後幅狭部を有し、
前記後幅狭部は、前記サイドスリットの後端縁に到達している、請求項１から請求項４のいずれか１項に記載の吸収性物品。
【請求項６】
前記サイドスリットは、前記前側に向かって前記サイドスリットの前記幅方向の長さが短くなる前幅狭部を有し、
前記前幅狭部は、前記サイドスリットの前端縁に到達している、請求項５に記載の吸収性物品。
【請求項７】
前記吸収コアは、前記サイドスリットによって挟まれた第１領域と、前記サイドスリットと前記吸収コアの外側縁の間に位置する第２領域と、前記変形誘導部によって挟まれた第３領域と、前記変形誘導部と前記吸収コアの外側縁の間に位置する第４領域と、を有し、
前記第３領域の前記幅方向の最大長さは、前記第１領域の前記幅方向の最大長さよりも長い、請求項１から請求項６のいずれか１項に記載の吸収性物品。
【請求項８】
前記変形誘導部の前記幅は、前記サイドスリットの前記幅に対する１／２以下である、請求項１から請求項６のいずれか１項に記載の吸収性物品。
【請求項９】
前記変形誘導部は、前記吸収コアの外側縁よりも前記幅方向の内側に位置している、請求項１から請求項７のいずれか１項に記載の吸収性物品。
【請求項１０】
前記吸収性物品は、前記吸収コアの肌面側に位置する表面シートと、前記表面シートの肌面側に位置する起立性の防漏ギャザーと、を有し、
前記防漏ギャザーは、防漏弾性部材の収縮によって起立する収縮部と、前記収縮部の立ち上がりの基点となる基点部と、有し、
前記防漏弾性部材は、前記変形誘導部と厚さ方向において重なっている、請求項１から請求項９のいずれか１項に記載の吸収性物品。
【請求項１１】
前記防漏弾性部材は、前記変形誘導部の前記前後方向の中心よりも前側の領域に重なってなく、前記変形誘導部の前記前後方向の中心よりも後側の領域に重なっている、請求項１０に記載の吸収性物品。
【発明の詳細な説明】
【技術分野】
【０００１】
本発明は、使い捨ておむつのような吸収性物品に関する。
【背景技術】
【０００２】
特許文献１及び特許文献２には、前後方向に延びるスリットを有する吸収性物品が開示されている。特許文献１及び特許文献２のスリットは、股下域から前側域に向かって幅方向の外側に向かって延びている。特許文献１のスリットは、尿の拡散経路として機能し、尿を前後方向に拡散する。特許文献２のスリットは、吸収体の外側縁に到達している。特許文献２の吸収体は、スリットによって中央吸収体と側部吸収体に分離されている。このように構成された吸収性物品において、中央吸収体の前方部側を股下側へ引っぱる力が作用したときは、その力によって、先ず、中央吸収体の前方部側が股下側へ引っ張られ、中央吸収体の前方部側よりも若干遅れて、その両側に位置する側部吸収体が股下側へ引っ張られる。特許文献２の吸収体は、このような移動によって着用者のそけい部に沿うようにフィットする。
【先行技術文献】
【特許文献】
【０００３】
【特許文献１】特開２０１１−１５６０３１号公報
【特許文献２】特開２０１４−１２８５５１号公報
【発明の概要】
【０００４】
特許文献１及び特許文献２の吸収性物品は、着用時に幅方向の内側に向かう力が掛かった際にスリットが変形し、吸収体の幅方向の長さが短くなることがある。スリットは、股下域と前側域に跨がって配置されており、吸収体の幅は、股下域において短くなると共に、前側域においても短くなる。股下域は、両足によって挟まれる領域であり、股下域の吸収コアの幅方向の長さが短くなることにより、着用時の違和感を抑制できる。しかし、前側域は、尿が排出される領域であり、前側域の吸収コアの幅方向の長さを確保できないと、漏れが発生するおそれがある。
【０００５】
よって、股下域における着用時の違和感を抑制するとともに、前側域における漏れを抑制しつつ着用者のそけい部に沿うようにフィットできる吸収性物品が望まれる。
【課題を解決するための手段】
【０００６】
一態様に係る吸収性物品は、互いに直交する前後方向及び幅方向と、前記前後方向の中央を含む股下域、前記股下域よりも前側に位置する前側域及び前記股下域よりも後側に位置する後側域と、少なくとも前記股下域及び前記前側域に配置された吸収コアと、を有する吸収性物品であって、前記吸収コアには、前記股下域において前記前後方向に延びる一対のサイドスリットと、前記前側域において前記前側に向かって前記幅方向の外側に延びる変形誘導部と、が設けられており、前記変形誘導部の幅は、前記サイドスリットの幅よりも短い。
【図面の簡単な説明】
【０００７】
【図１】実施形態に係る吸収性物品を肌面側から見た平面図である。
【図２】実施の形態に係る吸収コアを肌面側から見た平面図である。
【図３】図１に示すＡ−Ａ線に沿った断面図である。
【図４】Ａ−Ａ線に沿った断面の吸収コアの変形態様を示す図である。
【図５】Ｂ−Ｂ線に沿った断面の吸収コアの変形態様を示す図である。
【図６】着用者に装着された状態の吸収性物品を模式的に示す図である。
【発明を実施するための形態】
【０００８】
（１）実施形態の概要
本明細書及び添付図面の記載により、少なくとも以下の事項が明らかとなる。
一態様に係る吸収性物品は、互いに直交する前後方向及び幅方向と、前記前後方向の中央を含む股下域、前記股下域よりも前側に位置する前側域及び前記股下域よりも後側に位置する後側域と、少なくとも前記股下域及び前記前側域に配置された吸収コアと、を有する吸収性物品であって、前記吸収コアには、前記股下域において前記前後方向に延びる一対のサイドスリットと、前記前側域において前記前側に向かって前記幅方向の外側に延びる変形誘導部と、が設けられており、前記変形誘導部の幅は、前記サイドスリットの幅よりも短い。
【０００９】
股下域の吸収コアには、サイドスリットが設けられている。吸収コアは、股下域においてサイドスリットによって幅方向の内側に入り込むことができる。股下域における吸収コアの幅方向の長さが短くことにより、吸収コアが股間内に収まり易くなり、着用時の違和感を抑制できる。
【００１０】
また、前側域の吸収コアには、変形誘導部が設けられている。変形誘導部は、前側に向かって幅方向の外側に延びており、吸収コアをそけい部に沿うように変形させることができる。このとき、変形誘導部の幅方向の長さが長すぎると、吸収コアが変形する部分の幅方向の長さが長く、吸収コアを身体に沿わせて配置する部分の長さが短くなり、前側域における漏れが発生するおそれがある。しかし、変形誘導部の幅がサイドスリットの幅よりも短いため、前側域における吸収コアの幅方向の長さを確保し、前側域における漏れを抑制できる。よって、前側域における漏れを抑制しつつ着用者のそけい部に沿うようにフィットできる。
【００１１】
好ましい一態様によれば、前記変形誘導部は、前記吸収コアの吸収材料の坪量が周囲よりも低い低坪量領域、前記吸収コアを厚さ方向に圧縮した圧搾部、前記吸収コアに形成されたスリット、及び前記吸収コアの剛性差のうち少なくともいずれかによって構成されてよい。
【００１２】
好ましい一態様によれば、前記吸収性物品は、前記吸収コアの肌面側に位置する表面シートと、前記表面シートの肌面側に位置する起立性の防漏ギャザーと、を有し、前記防漏ギャザーは、防漏弾性部材の収縮によって起立する収縮部と、前記収縮部の立ち上がりの基点となる基点部と、有し、前記吸収コアは、前記サイドスリットによって挟まれた第１領域と、前記サイドスリットと前記吸収コアの外側縁の間に位置する第２領域と、を有し、前記収縮部は、前記第２領域と厚さ方向において重なってよい。
【００１３】
着用時に脚によって挟まれることにより、吸収コアには、幅方向の内側に向かう力がかかる。このとき、吸収コアの第２領域は、収縮部の収縮によって幅方向の内側かつ肌面側に引っ張られる。当該収縮部が第２領域と厚さ方向に重なっているため、第２領域を幅方向の内側かつ肌面側に引っ張る力が発生する。着用時に幅方向の外側から内側に向かう力がかかった際に、第２領域が第１領域の肌面側かつ幅方向の内側に移動し易くなる。よって、吸収コアの幅方向の長さが短くなり易い。
【００１４】
好ましい一態様によれば、前記吸収コアには、前記幅方向において前記サイドスリットの間に位置し、かつ前記前後方向に延びる中央スリットが形成されてよい。
【００１５】
本態様によれば、中央スリットによってサイドスリットの間の領域が厚さ方向に曲がりやすくなり、股下域における吸収コア全体の幅方向の長さをより短くできる。
【００１６】
好ましい一態様によれば、前記サイドスリットは、前記後側に向かって前記サイドスリットの前記幅方向の長さが短くなる後幅狭部を有し、前記後幅狭部は、前記サイドスリットの後端縁に到達してよい。
【００１７】
本態様によれば、サイドスリットが後幅狭部を有するため、着用時に股下域の吸収コアが幅方向に短くなる長さが後側に向かって短くなる。すなわち、サイドスリットの後端縁を含む一定領域において吸収コアの幅方向の長さを確保できる。臀部側に位置する吸収コアの幅方向の長さを確保し、吸収コアによって臀部を覆い、臀部に対応する領域における漏れを抑制できる。サイドスリットによって吸収コアの幅方向の長さを短くし、違和感を抑制する効果を得つつも、吸収コアによって臀部に対応する領域における漏れを抑制できる。
【００１８】
好ましい一態様によれば、前記サイドスリットは、前記前側に向かって前記サイドスリットの前記幅方向の長さが短くなる前幅狭部を有し、前記前幅狭部は、前記サイドスリットの前端縁に到達してよい。
【００１９】
本態様によれば、サイドスリットが前幅狭部を有するため、着用時に股下域の吸収コアが幅方向に短くなる長さが前側に向かって短くなる。すなわち、サイドスリットの前端縁を含む一定領域において吸収コアの幅方向の長さを確保できる。排尿口側に位置する吸収コアの幅方向の長さを確保し、排尿領域における漏れを抑制できる。
【００２０】
好ましい一態様によれば、前記吸収コアは、前記サイドスリットによって挟まれた第１領域と、前記サイドスリットと前記吸収コアの外側縁の間に位置する第２領域と、前記変形誘導部によって挟まれた第３領域と、前記変形誘導部と前記吸収コアの外側縁の間に位置する第４領域と、を有し、前記第３領域の前記幅方向の最大長さは、前記第１領域の前記幅方向の最大長さよりも長くてよい。
【００２１】
本態様によれば、変形誘導部によって挟まれた第３領域は、サイドスリットによって挟まれた第１領域よりも幅方向の長さを確保でき、広い範囲で吸収コアによって身体を覆うことができる。前側域における吸収コアの幅方向の長さを確保し、前側域における漏れを抑制できる。
【００２２】
好ましい一態様によれば、前記変形誘導部の前記幅は、前記サイドスリットの前記幅に対する１／２以下であってよい。
【００２３】
本態様によれば、前側域における漏れを抑制しつつ着用者のそけい部に沿うようにフィットできる効果をより得ることができる。
【００２４】
好ましい一態様によれば、前記変形誘導部は、前記吸収コアの外側縁よりも前記幅方向の内側に位置してよい。
【００２５】
本態様によれば、吸収コアの外側縁が変形誘導部によって変形せずに、吸収コアの外側縁を身体に対して面状に当てることができる。よって、前側域における漏れをより抑制できる。また、変形誘導部がスリットによって構成されている形態にあっては、変形誘導部よりも幅方向の外側に吸収材料が存在する。当該吸収材料で変形誘導部によって拡散した体液を保持し、横漏れを抑制できる。
【００２６】
好ましい一態様によれば、前記吸収性物品は、前記吸収コアの肌面側に位置する表面シートと、前記表面シートの肌面側に位置する起立性の防漏ギャザーと、を有し、前記防漏ギャザーは、防漏弾性部材の収縮によって起立する収縮部と、前記収縮部の立ち上がりの基点となる基点部と、有し、前記収縮部は、前記変形誘導部と厚さ方向において重なってよい。
【００２７】
本態様によれば、収縮部の収縮によって変形誘導部が肌面側に引っ張られる。吸収コアが変形誘導部を基点に厚さ方向に変形し、当該変形した部分を身体に近づけて配置できる。よって、身体に対して吸収コアがよりフィットし、漏れを抑制できる。
【００２８】
好ましい一態様によれば、前記防漏弾性部材は、前記変形誘導部の前記前後方向の中心よりも前側の領域に重なってなく、前記変形誘導部の前記前後方向の中心よりも後側の領域に重なってよい。
【００２９】
本態様によれば、変形誘導部の前後方向の中心よりも後側の領域は、防漏弾性部材の収縮によって肌面側に引き上げられ、身体に沿い易い。一方、変形誘導部の前後方向の中心よりも前側の領域は、防漏弾性部材の収縮によって肌面側に引き上げられ難く、平面形状を維持し、身体を覆うように配置され易い。身体を覆うように吸収コアを配置することにより、漏れを抑制できる。
【００３０】
（２）吸収性物品の実施形態
以下、図面を参照して、実施形態に係る使い捨ておむつについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００３１】
図１は、本実施形態に係る吸収性物品１０を肌面側から見た平面図であり、図２は、実施形態に係る吸収コア５０を肌面側から見た平面図である。図１及び図２に示す平面図は、吸収性物品１０を皺が形成されない状態まで伸張させた伸長状態を示している。図３は、図１に示すＡ−Ａ線に沿った断面図である。本実施の形態の吸収性物品１０は、展開型の大人用の吸収性物品であるが、これに限定されない。吸収性物品１０は、パンツ型の吸収性物品であってもよいし、子供用の吸収性物品であってもよい。
【００３２】
吸収性物品１０は、互いに直交する前後方向Ｌ及び幅方向Ｗを有する。前後方向Ｌは、身体前側と身体後側とに延びる方向によって規定される。言い換えると、前後方向Ｌは、展開された吸収性物品１０において前後に延びる方向である。また、吸収性物品１０は、前後方向Ｌと幅方向Ｗの両方に直交する厚さ方向Ｔを有する。厚さ方向Ｔは、着用者側に向かう肌面側Ｔ１と、着用者から離れる側の非肌面側Ｔ２と、に延びる。本明細書において、「肌面側」は、使用中に着用者の肌に面する側に相当する。「非肌面側」は、使用中に着用者の肌とは反対に向けられる側に相当する。
【００３３】
吸収性物品１０は、前側域Ｓ１と、後側域Ｓ２と、股下域Ｓ３と、を有する。前側域Ｓ１は、使用時に着用者の身体前側に面する。後側域Ｓ２は、使用時に着用者の身体後側に面する。股下域Ｓ３は、前側域Ｓ１と後側域Ｓ２との間に位置し、使用時に着用者の股下に配置される。股下域Ｓ３は、吸収コア５０によって規定できる。具体的には、くびれ部５１を有する吸収コア５０においては、吸収コア５０のくびれ部５１が形成された領域が、股下域Ｓ３の前後方向Ｌの領域となる。くびれ部５１を有しない吸収コア５０においては、吸収コア５０の前後方向の長さを三等分したうちの中央の領域が、股下域Ｓ３の前後方向Ｌの領域となる。本実施の形態では、吸収コア５０のくびれ部５１の前端縁が、股下域Ｓ３と前側域Ｓ１の境界を規定し、吸収コアのくびれ部５１の後端縁が、股下域Ｓ３と後側域Ｓ２の境界を規定している。
【００３４】
吸収性物品１０は、脚回り開口部６５を有する。脚回り開口部６５は、吸収性物品の本体部（吸収性物品において後述するファスニングテープ９４を除いた部分）の外側縁において幅方向Ｗの内側に凹んだ部分である。なお、本実施の形態において外側縁は、幅方向の外側の端縁であり、内側縁は、幅方向の内側の端縁である。
【００３５】
吸収性物品１０は、少なくとも股下域Ｓ３及び前側域Ｓ１に配置された吸収コア５０を有する。吸収コア５０は、股下域Ｓ３から前側域Ｓ１及び後側域Ｓ２へ延びていてよい。吸収コア５０は、例えば粉砕パルプもしくは高吸収性ポリマー（ＳＡＰ）、又はこれらの混合物を含む吸収材料の積層体であってよい。図３に示すように、吸収性物品１０は、吸収コア５０と、コアラップ５６と、を含む吸収体を有してよい。コアラップ５６は、吸収コア５０の肌面側と非肌面側を覆うように配置され、例えば、ティッシュや不織布シートであってよい。吸収コア５０の構成については、後述にて詳細に説明する。
【００３６】
図３に示すように、吸収性物品１０は、吸収コア５０の肌面側Ｔ１に位置する肌面シート４１と、吸収コア５０の非肌面側Ｔ２に位置する非肌面シート４２と、を有してよい。肌面シート４１は、表面シート４１ａと、サイドシート４１ｂと、を有してよい。表面シート４１ａは、液透過性を有し、吸収コア５０の少なくとも幅方向Ｗの中心を覆うように配置されてよい。サイドシート４１ｂは、疎水性を有する不織布からなり、吸収コア５０の幅方向Ｗの中心よりも幅方向Ｗの外側において、幅方向Ｗにおける表面シート４１ａの両側部を覆うように配置されてよい。非肌面シート４２は、液不透過性を有し、吸収コア５０よりも非肌面側に設けられてよい。非肌面シート４２は、液不透過性のバックフィルム４２ａと、バックフィルム４２ａの非肌面側Ｔ２に配置されたバック不織布４２ｂと、を有してよい。
【００３７】
吸収性物品１０は、起立性の防漏ギャザー６０を有してよい。防漏ギャザー６０は、表面シート４１ａの肌面側に位置し、表面シート４１ａに対して起立可能である。防漏ギャザー６０は、防漏弾性部材６６の収縮によって起立する収縮部６１と、収縮部６１の立ち上がりの基点となる基点部６２と、を有する。基点部６２は、収縮部６１よりも幅方向Ｗの外側に位置する第１基点部６２ａ（図３参照）と、収縮部６１よりも前後方向Ｌの外側に位置する第２基点部６２ｂ（図１参照）と、を有してよい。防漏弾性部材６６は、サイドシート４１ｂの内側縁に配置されており、サイドシート４１ｂの内側縁を着用者側に起立させる。
【００３８】
吸収性物品１０は、脚回り開口部６５に配置される脚回り弾性部材６７を有してよい。脚回り弾性部材６７は、脚回り開口部６５に沿って配置されており、脚回り開口部６５を着用者の脚回りにフィットさせる。脚回り弾性部材６７は、サイドシート４１ｂとバックフィルム４２ａの間に配置されている。防漏弾性部材６６及び脚回り弾性部材６７は、前後方向Ｌに伸縮可能であり、前後方向Ｌに沿って配置されてよい。
【００３９】
吸収性物品１０は、後側域Ｓ２の幅方向Ｗの両外側部に設けられたファスニングテープ９４を有してよい。ファスニングテープ９４は、前側域Ｓ１の非肌面に係合する係合部９６を有してよい。
【００４０】
次いで、吸収コア５０の構成について詳細に説明する。吸収コア５０には、スリット及び変形誘導部５４が形成されてよい。スリットは、吸収コア５０を構成する吸収材料が実質的に配置されていない部分である。スリットは、吸収材料の坪量が０の部分又は周囲からの零れた吸収材料が配置されているが、設計上の吸収材料が０の部分である。スリットは、吸収コア５０が力を受けた際に、変形を吸収したり、変形の基点となったりする。スリットは、一対のサイドスリット５２と中央スリット５５を有してよい。
【００４１】
図２に示すように、吸収コア５０は、一対のサイドスリット５２によって挟まれた第１領域Ｒ１と、サイドスリット５２と吸収コア５０の外側縁５０Ｓの間に位置する第２領域Ｒ２と、変形誘導部５４によって挟まれた第３領域Ｒ３と、一対の変形誘導部５４と吸収コア５０の外側縁の間に位置する第４領域Ｒ４と、を有してよい。図２において、第１領域Ｒ１、第２領域Ｒ２、第３領域Ｒ３及び第４領域Ｒ４に異なる斜線を付して示す。第２領域Ｒ２は、各サイドスリット５２の幅方向Ｗの外側に位置し、一対で設けられている。第１領域Ｒ１及び第２領域Ｒ２は、サイドスリット５２から幅方向Ｗに沿って延びる領域である。中央スリット５５の少なくとも一部は、第１領域Ｒ１に配置されてよい。第３領域Ｒ３は、各変形誘導部５４の幅方向Ｗの外側に位置し、一対で設けられている。第３領域Ｒ３及び第４領域Ｒ４は、変形誘導部５４から幅方向Ｗに沿って延びる領域である。
【００４２】
サイドスリット５２は、少なくとも股下域Ｓ３に配置されてよい。サイドスリット５２の前端縁５２Ｆは、股下域Ｓ３に配置され、サイドスリット５２の後端縁５２Ｒは、股下域Ｓ３に配置されてよい。サイドスリット５２は、少なくとも前後方向Ｌに延びていればよく、前後方向Ｌに沿っていてもよいし、前後方向Ｌに対して傾斜する部分を有してもよい。サイドスリット５２の幅方向Ｗの長さは、一定であってもよいし、変化していてもよい。サイドスリット５２は、吸収コア５０の幅方向Ｗの中心に設けられなく、吸収コア５０の幅方向Ｗの中心に対して対称に一対で設けられてよい。
【００４３】
変形誘導部５４は、吸収コア５０を厚さ方向Ｔに変形させるように構成されている。吸収コア５０は、着用時等に力を受けた際に、変形誘導部５４を基点として変形するように構成されている。変形誘導部５４は、サイドスリット５２よりも前側に位置し、少なくとも前側域Ｓ１に配置されてよい。変形誘導部５４の前端縁５４Ｆは、前側域Ｓ１に配置され、変形誘導部５４の後端縁５４Ｒは、股下域Ｓ３に配置されてよい。変形誘導部５４の少なくとも一部は、前側域Ｓ１において前側に向かって幅方向の外側に延びている。
【００４４】
変形誘導部５４は、吸収コア５０の吸収材料の坪量が周囲よりも低い低坪量領域、吸収コア５０を厚さ方向Ｔに圧縮した圧搾部、吸収コア５０に形成されたスリット、及び吸収コア５０の剛性差のうち少なくともいずれかによって構成されている。本実施の形態の変形誘導部５４は、スリットによって構成されている。変形誘導部５４は、サイドスリットと一体化していてもよいし、離間していてもよい。本実施の形態の変形誘導部５４は、サイドスリット５２と一体化して形成されている。変形誘導部５４の後端縁５４Ｒは、サイドスリット５２の前端縁５２Ｆに連なってよい。変形誘導部５４の後端縁５４Ｒは、吸収性物品１０の前後方向Ｌの中心よりも前側に位置してよく、吸収コア５０の前後方向Ｌの中心よりも前側に位置してよい。
【００４５】
変形誘導部５４の幅は、サイドスリット５２の幅よりも短い。サイドスリット５２の幅は、サイドスリット５２の長手方向と直交する方向の長さであり、前後方向Ｌに延びるサイドスリット５２にあっては、幅方向の長さである。同様に、変形誘導部５４の幅は、変形誘導部５４の長手方向と直交する方向の長さであり、前後方向Ｌに延びる変形誘導部５４にあっては、幅方向の長さである。サイドスリット５２と変形誘導部５４が一体化した形態にあっては、サイドスリット５２と変形誘導部５４の境界は、幅が変化する部分であってよい。なお、サイドスリット５２の幅及び変形誘導部５４の幅が変化する構成にあっては、変形誘導部５４の最大幅がサイドスリット５２の最大幅よりも短くてもよいし、変形誘導部５４の平均幅がサイドスリット５２の平均幅よりも短くてもよい。
【００４６】
次いで、このように構成された吸収性物品１０の変形態様について説明する。図４は、着用時に吸収体の変形状態を模式的に示した図である。図４は、Ａ−Ａ断面における股下域Ｓ３の吸収体の変形態様を模式的に示しており、図５は、Ｂ−Ｂ断面における前側域Ｓ１の吸収体の変形態様を示している。図４（ａ）は、着用時に幅方向の内側に向かう力がかかった状態であり、図４（ｂ）は、図４（ａ）に示す状態から更に幅方向の内側に向かう力がかかった状態を示している。図５（ａ）は、着用前の状態であり、図５（ｂ）は、着用時の状態を示している。図６は、着用者に装着された状態の吸収性物品を模式的に示す図である。
【００４７】
吸収性物品１０が着用された状態で、吸収性物品１０が両脚によって挟まれることにより、股下域Ｓ３には、脚によって幅方向Ｗの内側に向かう力がかかる。図４に示すように、股下域Ｓ３の吸収体に幅方向Ｗの内側に向かう力がかかると、吸収コア５０のサイドスリット５２が変形し、第２領域Ｒ２が幅方向Ｗの内側に移動し（図４（ａ）の矢印Ａ）、吸収体の幅方向Ｗの長さが短くなる。吸収コア５０は、股下域Ｓ３においてサイドスリット５２によって幅方向の内側に入り込むことができる。股下域Ｓ３における吸収コア５０の幅方向の長さが短くことにより、吸収コア５０が股間内に収まり易くなり、着用時の違和感を抑制できる。
【００４８】
また、吸収性物品１０の前側域Ｓ１は、身体の腹部を覆い、そけい部を覆うように配置される。よって、吸収体は身体に沿うように変形し、吸収コアの幅方向の側部は、吸収コアの幅方向の中央よりも肌面側に位置する。前側域Ｓ１の吸収コア５０には、変形誘導部５４が設けられている。変形誘導部５４は、前側に向かって幅方向の外側に延びている。図５（ｂ）に示すように、吸収コア５０は、変形誘導部５４を基点として、そけい部に沿うように変形できる。このとき、変形誘導部５４の幅方向の長さが長すぎると、吸収コア５０が変形する部分の幅方向の長さが長く、吸収コア５０を身体に沿わせて配置する部分の長さが短くなり、前側域Ｓ１における漏れが発生するおそれがある。しかし、変形誘導部５４の幅がサイドスリット５２の幅よりも短いため、前側域Ｓ１における吸収コア５０の幅方向の長さを確保し、前側域Ｓ１における漏れを抑制できる。図６に示すように、前側域Ｓ１における漏れを抑制しつつ着用者のそけい部に沿うように吸収コア５０がフィットできる。
【００４９】
股下域Ｓ３における着用時の違和感を抑制するとともに、前側域Ｓ１における漏れを抑制しつつ着用者のそけい部に沿うようにフィットできる効果をより得るために、変形誘導部５４の幅は、サイドスリット５２の幅に対する１／２以下であってよい。サイドスリット５２による幅方向の内側に移動する距離を確保しつつ、前側域Ｓ１における幅方向の内側に移動する距離を抑制できる。
【００５０】
中央スリット５５は、幅方向Ｗにおいてサイドスリット５２の間に位置し、かつ前後方向Ｌに延びてよい。中央スリット５５は、幅方向においてサイドスリット５２と離間し、幅方向において変形誘導部５４と離間してよい。中央スリット５５の少なくとも一部は、股下域Ｓ３に配置されてよい。中央スリット５５の前端縁５５Ｆは、股下域Ｓ３に配置され、中央スリット５５の後端縁５５Ｒは、後側域Ｓ２に配置されてよい。中央スリット５５は、サイドスリット５２よりも後側に偏倚してよく、中央スリット５５の前端縁５５Ｆは、サイドスリット５２の前端縁５２Ｆ及び変形誘導部５４の後端縁５４Ｒよりも後側に位置してよい。中央スリット５５は、少なくとも前後方向Ｌに延びていればよく、前後方向Ｌに沿っていてもよいし、前後方向Ｌに対して傾斜する部分を有してもよい。
【００５１】
中央スリット５５によって第１領域Ｒ１が厚さ方向Ｔに曲がりやすくなり、吸収体全体の幅方向の長さをより短くできる。より詳細には、着用時に幅方向の外側から内側に向かう力がかかった際に、図４（ａ）の矢印Ｃに示すように、第１領域Ｒ１の外側縁（サイドスリット５２）を起点として、第１領域Ｒ１の内側縁が肌面側に向かうように、吸収コア５０が変形し易い。よって、吸収コア５０の幅方向の長さがより短くなり易い。股下域Ｓ３の吸収コア５０は、吸収コア５０の幅方向の中心を頂点とした凸形状となるように変形し、吸収コア５０全体の幅方向の長さをより短くできる。なお、吸収性物品１０が両脚によって挟まれることによる吸収体の変形は、図４（ａ）に示すように、吸収体の幅方向の中心を頂点とした凸形状となるように変形してもよいし、吸収体が厚さ方向Ｔに変形せず、第２領域Ｒ２が幅方向の内側にスライド移動してもよい。第２領域Ｒ２がスライド移動する変形においても、サイドスリット５２の幅方向の長さ分、吸収コア５０の幅方向の長さが短くなる。
【００５２】
また、吸収性物品１０を使用する際に、吸収性物品１０の肌面側に吸収パッドを重ねて使用することがある。このとき、股下域Ｓ３においては、吸収コア５０の第２領域Ｒ２が第１領域Ｒ１の肌面側Ｔ１に移動することにより、吸収コア５０の肌面が着用者側に押し上げられ、吸収パッドを肌面に近づけて配置できる。吸収パッドを身体にフィットさせ、漏れをより抑制できる。前側域Ｓ１においては、変形誘導部５４を基点に第４領域が第３領域に対して肌面側に立ち上がるように変形する。第３領域に吸収パッドを配置することにより、吸収パッドの外側縁を第４領域によって挟むように保持できる。このように、吸収パッドを保持した状態で、吸収コア５０がそけい部に沿って変形するため、吸収パッドをそけい部間の領域に沿わせて配置できる。
【００５３】
図２に示すように、サイドスリット５２は、後側に向かってサイドスリット５２の幅方向の長さが短くなる後幅狭部５８を有してよい。後幅狭部５８の前端縁５８Ｆは、サイドスリット５２の前後方向Ｌの中心５２ＣＬよりも後側に位置してよい。後幅狭部５８の後端縁５８Ｒは、サイドスリット５２の後端縁５２Ｒに到達してよい。本実施の形態のサイドスリット５２の外側縁は、前後方向Ｌに延びる直線状であり、サイドスリット５２の内側縁は、後幅狭部５８において幅方向Ｗの外側に湾曲している。サイドスリット５２が後幅狭部５８を有するため、着用時に股下域Ｓ３の吸収コア５０が幅方向Ｗに短くなる長さが後側に向かって短くなる。すなわち、サイドスリット５２の後端縁５２Ｒを含む一定領域において吸収コア５０の幅方向の長さを確保し易い。臀部側に位置する吸収コア５０の幅方向の長さを確保し、吸収コア５０によって臀部を覆い、臀部に対応する領域における漏れを抑制できる。サイドスリット５２によって吸収コア５０の幅方向Ｗの長さを短くし、違和感を抑制する効果を得つつも、吸収コア５０によって臀部に対応する領域における漏れを抑制できる。
【００５４】
サイドスリット５２は、前側に向かってサイドスリット５２の幅方向の長さが短くなる前幅狭部５７を有してよい。前幅狭部５７の前端縁５７Ｆは、サイドスリット５２の前端縁５２Ｆに到達してよく、前幅狭部５７の後端縁５７Ｒは、前後方向Ｌの中心よりも前側に位置してよい。実施の形態のサイドスリット５２の外側縁は、前後方向Ｌに延びる直線状であり、サイドスリット５２の内側縁は、前幅狭部５７において幅方向Ｗの外側に湾曲している。サイドスリット５２が前幅狭部５７を有するため、着用時に股下域Ｓ３の吸収コア５０が幅方向Ｗに短くなる長さが前側に向かって短くなる。すなわち、サイドスリット５２の前端縁５２Ｆを含む一定領域において吸収コア５０の幅方向Ｗの長さを確保し易い。排尿口側に位置する吸収コア５０の幅方向Ｗの長さを確保し、排尿領域における漏れを抑制できる。
【００５５】
サイドスリット５２は、幅広部５３を有している。幅広部５３は、サイドスリット５２の前幅狭部５７と後幅狭部５８の間に位置する。幅広部５３では、サイドスリット５２の外側縁及び内側縁が前後方向Ｌに沿った直線状であり、サイドスリット５２の幅が一定である。幅広部５３は、第２領域Ｒ２の幅方向Ｗの長さ以上の幅方向Ｗの長さを有してよい。幅広部５３の幅方向Ｗの長さは、吸収性物品１０の伸長状態において、当該幅広部５３に対して隣接する第２領域Ｒ２の幅方向Ｗの長さ以上であればよい。幅広部５３の少なくとも一部は、股下域Ｓ３に配置されており、幅広部５３の前後方向Ｌの全域が股下域Ｓ３に配置されてもよい。幅広部５３の前後方向Ｌの中心５３ＣＬは、吸収性物品１０の前後方向Ｌの中心１０ＣＬよりも前側に位置しており、股下域Ｓ３の前後方向Ｌの中心よりも前側に位置してよい。サイドスリット５２の幅広部の幅方向の長さがサイド領域の幅方向の長さ以上であるため、サイド領域の幅方向の全域に亘ってサイドスリット５２が幅方向の内側に入り込むことができる。吸収体の幅方向の長さが短くなることで、吸収コア５０が股間内に収まり易くなり、着用時の違和感を抑制できる。
【００５６】
第３領域Ｒ３の幅方向Ｗの最大長さは、第１領域Ｒ１の幅方向の最大長さよりも長くてよい。変形誘導部５４によって挟まれた第３領域Ｒ３は、サイドスリット５２によって挟まれた第１領域Ｒ１よりも幅方向Ｗの長さを確保でき、広い範囲で吸収コア５０によって身体を覆うことができる。前側域Ｓ１における吸収コア５０の幅方向の長さを確保し、前側域Ｓ１における漏れを抑制できる。
【００５７】
サイドスリット５２は、吸収コア５０の外側縁５０Ｓよりも幅方向の内側に位置し、吸収コア５０の外側縁５０Ｓに到達してなくてよい。この構成によれば、サイドスリット５２よりも幅方向Ｗの外側に吸収材料が存在する。当該吸収材料でサイドスリット５２によって拡散した体液を保持し、横漏れを抑制できる。
【００５８】
サイドスリット５２の後端縁５２Ｒは、股下域Ｓ３内に位置しており、サイドスリット５２が後側域Ｓ２に到達していなくてよい。この構成によれば、吸収体の幅方向Ｗの長さが短くなる領域が後側域Ｓ２に到達し難く、後側域Ｓ２の吸収コア５０を広い幅で身体に当て漏れを抑制できる。
【００５９】
変形誘導部５４は、吸収コア５０の外側縁５０Ｓよりも幅方向の内側に位置し、吸収コア５０の外側縁５０Ｓに到達してなくてよい。この構成によれば、吸収コア５０の外側縁が変形誘導部５４によって変形せずに、吸収コア５０の外側縁を身体に対して面状に当てることができる。よって、前側域Ｓ１における漏れをより抑制できる。また、変形誘導部５４がスリットによって構成されている形態にあっては、変形誘導部５４よりも幅方向の外側に吸収材料が存在する。当該吸収材料で変形誘導部５４によって拡散した体液を保持し、横漏れを抑制できる。
【００６０】
吸収性物品は、着用時に防漏ギャザーの収縮部６１によって肌側に引き上げる力がかかる。防漏ギャザーの収縮部６１は、吸収性物品の伸長状態において、第２領域Ｒ２と厚さ方向Ｔにおいて重なってよい。着用時に脚によって挟まれることにより、吸収コア５０には、幅方向の内側に向かう力がかかる。このとき、吸収コア５０の第２領域は、収縮部６１の収縮によって幅方向の内側かつ肌面側に引っ張られる。着用時に幅方向の内側に向かう力がかかった際に、第２領域Ｒ２が第１領域Ｒ１の肌面側Ｔ１（図４（ａ）の幅方向の外側から内側に矢印Ｂ）かつ幅方向の内側（図４（ａ）の矢印Ａ）に引っ張られる。よって、第２領域Ｒ２が第１領域Ｒ１の肌面側Ｔ１かつ幅方向Ｗの内側に移動し、吸収コア５０の幅方向の長さがより短くなり易い。図４（ａ）に示す状態において、第２領域Ｒ２が第１領域Ｒ１の肌面側Ｔ１かつ幅方向Ｗの内側に更に移動することにより、図４（ｂ）に示す状態となる。図４（ｂ）に示す状態では、第１領域Ｒ１と第２領域Ｒ２が厚さ方向Ｔにおいて重なっており、吸収体の幅方向の長さがより短くなっている。
【００６１】
防漏ギャザーの収縮部６１は、吸収性物品の伸長状態において、変形誘導部５４と厚さ方向Ｔにおいて重なってよい。収縮部６１の収縮によって変形誘導部５４が肌面側に引っ張られる。吸収コア５０が変形誘導部５４を基点に厚さ方向Ｔに変形し、当該変形した部分を身体に近づけて配置できる。よって、身体に対して吸収コア５０がよりフィットし、漏れを抑制できる。
【００６２】
防漏ギャザーの収縮部６１は、吸収性物品の伸長状態において、変形誘導部５４の前後方向Ｌの中心よりも前側の領域に重なってなく、変形誘導部５４の前後方向Ｌの中心よりも後側の領域に重なってよい。変形誘導部５４の前後方向Ｌの中心よりも後側の領域は、収縮部６１の収縮によって肌面側に引き上げられ、身体に沿い易い。一方、変形誘導部５４の前後方向Ｌの中心よりも前側の領域は、収縮部６１の収縮によって肌面側に引き上げられ難く、平面形状を維持し、身体を覆うように配置され易い。身体を覆うように吸収コア５０を配置することにより、漏れを抑制できる。
【００６３】
防漏ギャザー６０を構成する基点部６２のうち収縮部６１よりも幅方向Ｗの外側に位置する第１基点部６２ａは、吸収性物品の伸長状態において、第２領域Ｒ２と厚さ方向Ｔにおいて重なってよい。収縮部６１よりも幅方向Ｗの外側に位置する第１基点部６２ａは、収縮部６１の収縮によって幅方向Ｗの内側かつ肌面側Ｔ１に引っ張られる。
【００６４】
図１に示す吸収性物品の伸長状態において、防漏ギャザー６０の収縮部６１の内側縁は、サイドスリット５２の幅広部５３と厚さ方向Ｔに重なってよい。収縮部６１が幅広部５３と厚さ方向Ｔに重なっているため、幅広部５３を幅方向Ｗの内側かつ肌面側Ｔ１に引っ張る力が発生する。着用時に幅方向の外側から内側に向かう力がかかった際に、図４（ａ）の矢印Ｂに示すように、第２領域Ｒ２が第１領域Ｒ１の肌面側かつ幅方向の内側に引っ張られ易い。よって、第２領域Ｒ２が第１領域Ｒ１の肌面側かつ幅方向の内側に移動し、吸収コア５０の幅方向の長さがより短くなり易い。
【００６５】
第２領域Ｒ２よりも幅方向の外側には、前後方向Ｌに収縮する脚回り弾性部材６７が設けられてよい。脚回り弾性部材６７の収縮によって第２領域Ｒ２を肌面側Ｔ１に引き上げ、着用時に幅方向の外側から内側に向かう力がかかった際に、第２領域Ｒ２が第１領域Ｒ１の肌面側Ｔ１かつ幅方向の内側に移動し易くなる。よって、吸収コア５０の幅方向の長さが短くなり易い。
【００６６】
幅広部５３を跨って幅方向に延びる仮想線（例えば、ＦＬ１）上において、第２領域Ｒ２の幅方向Ｗの長さは、第１領域Ｒ１の幅方向Ｗの長さよりも長くてよい。第２領域Ｒ２が幅方向の内側かつ第１領域Ｒ１の肌面側Ｔ１に移動すると、第１領域Ｒ１と第２領域Ｒ２が重なり、吸収コア５０全体の幅方向の長さを短くできる。第２領域Ｒ２の幅方向の長さが第１領域Ｒ１の幅方向の長さよりも長いため、第１領域Ｒ１の幅方向の範囲内に第２領域Ｒ２を収まり易くでき、吸収コア５０全体の幅方向の長さを短くできる。なお、仮想線ＦＬ１は、幅方向に沿って延びる線であって、幅広部５３と重なって配置される線である。仮想線ＦＬ１は、幅広部５３の前端縁から後端縁までの領域の少なくとも一部と重なっていればよい。
【００６７】
より好適には、幅広部５３を跨って幅方向に延びる仮想線ＦＬ１上において、第２領域Ｒ２の幅方向の長さは、第１領域Ｒ１の幅方向の長さの１／２以下であってよい。第２領域Ｒ２が幅方向の内側かつ第１領域Ｒ１の肌面側に移動すると、第１領域Ｒ１上に第２領域Ｒ２が重なる。このとき、第２領域Ｒ２の幅方向の長さが第１領域Ｒ１の幅方向の長さの１／２以下であるため、第２領域Ｒ２全体が第１領域Ｒ１に重なるように幅方向の内側に移動しても、第２領域Ｒ２同士が重なることを抑制できる。よって、第２領域Ｒ２同士が重なることによる局所的な吸収コア５０の厚さの増加を抑制できる。よって、局所的な吸収コア５０の厚さの増加による圧力の集中が生じ難く、装着感の悪化を抑制できる。
【００６８】
吸収コア５０は、吸収コア５０の最大幅よりも幅方向Ｗの長さが短いくびれ部５１を有してよい。吸収コア５０の最大幅５０Ｍの領域は、前側域Ｓ１と股下域Ｓ３に跨がって配置されるとともに、後側域Ｓ２と股下域Ｓ３に跨がって配置されている。吸収コア５０のくびれ部５１は、股下域Ｓ３に配置されてよい。着用者の股間に挟まれる股下域Ｓ３の吸収コア５０の幅方向Ｗの長さが短いため、着用者の股間内に吸収コア５０が収まり易く、着用時の違和感を抑制できる。くびれ部５１の前後方向Ｌの中心５１ＣＬは、吸収性物品１０の前後方向Ｌの中心１０ＣＬよりも前側に位置してよい。吸収性物品１０の前側において吸収体の幅方向Ｗの長さを短くする効果を得易い。
【００６９】
幅広部５３は、前後方向Ｌにおいてくびれ部５１が設けられた領域に配置されてよい。脚によって吸収コア５０が挾まれることにより、くびれ部５１における吸収コア５０の幅方向の長さが幅広部５３の変形によって短くなる。吸収コア５０が股間内により収まり易くなり、着用時の違和感を抑制できる。
【００７０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００７１】
１０    ：吸収性物品
５０    ：吸収コア
５２    ：サイドスリット
５３    ：幅広部
５４      ：変形誘導部
５５    ：中央スリット
５６    ：コアラップ
５７    ：前幅狭部
５８    ：後幅狭部
６０    ：防漏ギャザー
６１    ：収縮部
６６      ：防漏弾性部材
Ｒ１    ：第１領域
Ｒ２    ：第２領域
Ｒ３    ：第３領域
Ｒ４    ：第４領域
Ｓ１    ：前側域
Ｓ２    ：後側域
Ｓ３    ：股下域
Ｌ      ：前後方向
Ｔ      ：厚さ方向
Ｔ１    ：肌面側
Ｔ２    ：非肌面側
Ｗ      ：幅方向
【図１】
2019216956.tif 000003
【図２】
2019216956.tif 000004
【図３】
2019216956.tif 000005
【図４】
2019216956.tif 000006
【図５】
2019216956.tif 000007
【図６】
2019216956.tif 000008